【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、通常リプレイ及び特殊リプレイをグループ化したグループリプレイが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設けた遊技機であって、
前記通常リプレイが入賞した場合は、遊技媒体の投入なしに次遊技を可能にし、前記特殊リプレイが入賞した場合は、遊技媒体の投入なしに次遊技を可能にするとともに、次遊技以降から予め定めた特別当選役に当選又は前記特別当選役が入賞するまで前記グループリプレイの当選確率を変動させる遊技制御手段と、
前記グループリプレイが当選した場合に、当選した前記グループリプレイの種類に応じて、前記特殊リプレイが入賞する前記停止操作の順序を異ならせるリール停止制御手段とを備えたことを特徴とする遊技機。
【請求項２】
遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、通常リプレイと、前記通常リプレイ及び特殊リプレイをグループ化したグループリプレイとが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設けた遊技機であって、
前記通常リプレイが入賞した場合は、遊技媒体の投入なしに次遊技を可能にし、前記特殊リプレイが入賞した場合は、遊技媒体の投入なしに次遊技を可能にするとともに、次遊技以降から予め定めた特別当選役に当選又は前記特別当選役が入賞するまで前記通常リプレイ及び前記グループリプレイの少なくともいずれか１つの当選確率を変動させる遊技制御手段と、
前記グループリプレイが当選した場合に、当選した前記グループリプレイの種類に応じて、前記特殊リプレイが入賞する前記停止操作の順序を異ならせるリール停止制御手段とを備えたことを特徴とする遊技機。
【請求項３】
遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、特殊リプレイと、前記通常リプレイ及び前記特殊リプレイをグループ化したグループリプレイとが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設けた遊技機であって、
前記通常リプレイが入賞した場合は、遊技媒体の投入なしに次遊技を可能にし、前記特殊リプレイが入賞した場合は、遊技媒体の投入なしに次遊技を可能にするとともに、次遊技以降から予め定めた特別当選役に当選又は前記特別当選役が入賞するまで前記特殊リプレイ及び前記グループリプレイの少なくともいずれか１つの当選確率を変動させる遊技制御手段と、
前記グループリプレイが当選した場合に、当選した前記グループリプレイの種類に応じて、前記特殊リプレイが入賞する前記停止操作の順序を異ならせるリール停止制御手段とを備えたことを特徴とする遊技機。
【請求項４】
遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、通常リプレイ及び特殊リプレイをグループ化したグループリプレイが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設け、通常モードと、前記グループリプレイの当選確率が前記通常モードと異なるリプレイタイムモードとでの遊技が行われる遊技機であって、
前記リプレイタイムモードでの遊技において、前記通常リプレイが入賞した場合は、遊技媒体の投入なしに次遊技を可能にし、前記特殊リプレイが入賞した場合は、遊技媒体の投入なしに次遊技を可能にするとともに前記リプレイタイムモードを終了させる遊技制御手段と、
前記グループリプレイが当選した場合に、当選した前記グループリプレイの種類に応じて、前記特殊リプレイが入賞する前記停止操作の順序を異ならせるリール停止制御手段とを備えたことを特徴とする遊技機。
【請求項５】
遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、通常リプレイと、前記通常リプレイ及び特殊リプレイをグループ化したグループリプレイとが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設け、通常モードと、前記通常リプレイ及び前記グループリプレイの少なくともいずれか１つの当選確率が前記通常モードと異なるリプレイタイムモードとでの遊技が行われる遊技機であって、
前記リプレイタイムモードでの遊技において、前記通常リプレイが入賞した場合は、遊技媒体の投入なしに次遊技を可能にし、前記特殊リプレイが入賞した場合は、遊技媒体の投入なしに次遊技を可能にするとともに前記リプレイタイムモードを終了させる遊技制御手段と、
前記グループリプレイが当選した場合に、当選した前記グループリプレイの種類に応じて、前記特殊リプレイが入賞する前記停止操作の順序を異ならせるリール停止制御手段とを備えたことを特徴とする遊技機。
【請求項６】
遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、特殊リプレイと、通常リプレイ及び前記特殊リプレイをグループ化したグループリプレイとが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設け、通常モードと、通常モードと、前記特殊リプレイ及び前記グループリプレイの少なくともいずれか１つの当選確率が前記通常モードと異なるリプレイタイムモードとでの遊技が行われる遊技機であって、
前記リプレイタイムモードでの遊技において、前記通常リプレイが入賞した場合は、遊技媒体の投入なしに次遊技を可能にし、前記特殊リプレイが入賞した場合は、遊技媒体の投入なしに次遊技を可能にするとともに前記リプレイタイムモードを終了させる遊技制御手段と、
前記グループリプレイが当選した場合に、当選した前記グループリプレイの種類に応じて、前記特殊リプレイが入賞する前記停止操作の順序を異ならせるリール停止制御手段とを備えたことを特徴とする遊技機。
【請求項７】
前記グループリプレイが当選した場合に、前記特殊リプレイが入賞する前記停止操作の順序を報知する報知手段を備えたことを特徴とする請求項１〜６のいずれかに記載の遊技機。
【手続補正２】
【補正対象書類名】明細書
【補正対象項目名】０００６
【補正方法】変更
【補正の内容】
【０００６】
上記目的を達成するために、請求項１記載の遊技機は、遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、通常リプレイ及び特殊リプレイをグループ化したグループリプレイが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設けた遊技機であって、前記通常リプレイが入賞した場合は、遊技媒体の投入なしに次遊技を可能にし、前記特殊リプレイが入賞した場合は、遊技媒体の投入なしに次遊技を可能にするとともに、次遊技以降から予め定めた特別当選役に当選又は前記特別当選役が入賞するまで前記グループリプレイの当選確率を変動させる遊技制御手段と、前記グループリプレイが当選した場合に、当選した前記グループリプレイの種類に応じて、前記特殊リプレイが入賞する前記停止操作の順序を異ならせるリール停止制御手段とを備えたものである。
また、上記目的を達成するために、請求項２記載の遊技機は、遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、通常リプレイと、前記通常リプレイ及び特殊リプレイをグループ化したグループリプレイとが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設けた遊技機であって、前記通常リプレイが入賞した場合は、遊技媒体の投入なしに次遊技を可能にし、前記特殊リプレイが入賞した場合は、遊技媒体の投入なしに次遊技を可能にするとともに、次遊技以降から予め定めた特別当選役に当選又は前記特別当選役が入賞するまで前記通常リプレイ及び前記グループリプレイの少なくともいずれか１つの当選確率を変動させる遊技制御手段と、前記グループリプレイが当選した場合に、当選した前記グループリプレイの種類に応じて、前記特殊リプレイが入賞する前記停止操作の順序を異ならせるリール停止制御手段とを備えたものである。
また、上記目的を達成するために、請求項３記載の遊技機は、遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、特殊リプレイと、前記通常リプレイ及び前記特殊リプレイをグループ化したグループリプレイとが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設けた遊技機であって、前記通常リプレイが入賞した場合は、遊技媒体の投入なしに次遊技を可能にし、前記特殊リプレイが入賞した場合は、遊技媒体の投入なしに次遊技を可能にするとともに、次遊技以降から予め定めた特別当選役に当選又は前記特別当選役が入賞するまで前記特殊リプレイ及び前記グループリプレイの少なくともいずれか１つの当選確率を変動させる遊技制御手段と、前記グループリプレイが当選した場合に、当選した前記グループリプレイの種類に応じて、前記特殊リプレイが入賞する前記停止操作の順序を異ならせるリール停止制御手段とを備えたものである。
【手続補正３】
【補正対象書類名】明細書
【補正対象項目名】０００７
【補正方法】変更
【補正の内容】
【０００７】
上記目的を達成するために、請求項４記載の遊技機は、遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、通常リプレイ及び特殊リプレイをグループ化したグループリプレイが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設け、通常モードと、前記グループリプレイの当選確率が前記通常モードと異なるリプレイタイムモードとでの遊技が行われる遊技機であって、前記リプレイタイムモードでの遊技において、前記通常リプレイが入賞した場合は、遊技媒体の投入なしに次遊技を可能にし、前記特殊リプレイが入賞した場合は、遊技媒体の投入なしに次遊技を可能にするとともに前記リプレイタイムモードを終了させる遊技制御手段と、前記グループリプレイが当選した場合に、当選した前記グループリプレイの種類に応じて、前記特殊リプレイが入賞する前記停止操作の順序を異ならせるリール停止制御手段とを備えたものである。
また、上記目的を達成するために、請求項５記載の遊技機は、遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、通常リプレイと、前記通常リプレイ及び特殊リプレイをグループ化したグループリプレイとが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設け、通常モードと、前記通常リプレイ及び前記グループリプレイの少なくともいずれか１つの当選確率が前記通常モードと異なるリプレイタイムモードとでの遊技が行われる遊技機であって、前記リプレイタイムモードでの遊技において、前記通常リプレイが入賞した場合は、遊技媒体の投入なしに次遊技を可能にし、前記特殊リプレイが入賞した場合は、遊技媒体の投入なしに次遊技を可能にするとともに前記リプレイタイムモードを終了させる遊技制御手段と、前記グループリプレイが当選した場合に、当選した前記グループリプレイの種類に応じて、前記特殊リプレイが入賞する前記停止操作の順序を異ならせるリール停止制御手段とを備えたものである。
また、上記目的を達成するために、請求項６記載の遊技機は、遊技の開始操作に応答して、複数種類の当選役のいずれかとハズレとのうちからいずれかを抽選により決定するとともに、各々に複数種類の図柄を配列した複数のリールを回転させ、前記リールの停止操作に応答して回転中の前記リールを停止させ、前記リールが停止したときに表示された図柄の組み合わせによって入賞か否かを決定し、前記当選役には、特殊リプレイと、通常リプレイ及び前記特殊リプレイをグループ化したグループリプレイとが含まれており、前記通常リプレイ又は前記特殊リプレイの少なくともいずれか一方を入賞時の図柄の組み合わせが互いに異なるように複数種類設けるとともに、前記グループリプレイを、前記通常リプレイと前記特殊リプレイとの組み合わせが互いに異なるように複数種類設け、通常モードと、通常モードと、前記特殊リプレイ及び前記グループリプレイの少なくともいずれか１つの当選確率が前記通常モードと異なるリプレイタイムモードとでの遊技が行われる遊技機であって、前記リプレイタイムモードでの遊技において、前記通常リプレイが入賞した場合は、遊技媒体の投入なしに次遊技を可能にし、前記特殊リプレイが入賞した場合は、遊技媒体の投入なしに次遊技を可能にするとともに前記リプレイタイムモードを終了させる遊技制御手段と、前記グループリプレイが当選した場合に、当選した前記グループリプレイの種類に応じて、前記特殊リプレイが入賞する前記停止操作の順序を異ならせるリール停止制御手段とを備えたものである。
【手続補正４】
【補正対象書類名】明細書
【補正対象項目名】０００８
【補正方法】変更
【補正の内容】
【０００８】
また、上記目的を達成するために、請求項７記載の遊技機は、前記グループリプレイが当選した場合に、前記特殊リプレイが入賞する前記停止操作の順序を報知する報知手段を備えたものである。
【手続補正５】
【補正対象書類名】明細書
【補正対象項目名】００１１
【補正方法】変更
【補正の内容】
【００１１】
請求項１〜６記載の発明によれば、遊技媒体の払い出しのない通常リプレイ及び特殊リプレイを用いてリールの停止操作の順序を選択する遊技を行うことが可能になり、また、通常リプレイ及び特殊リプレイの当選確率が変動しても遊技者が獲得する遊技媒体の個数が増加するわけではないので、遊技者の射幸心を煽りすぎることを防止しながらもＡＴモードと同様の遊技を行うことができる。
【手続補正６】
【補正対象書類名】明細書
【補正対象項目名】００１２
【補正方法】変更
【補正の内容】
【００１２】
また、特殊リプレイが入賞した場合に、通常リプレイ、特殊リプレイ及びグループリプレイの少なくともいずれか１つの当選確率を高くすると、特殊リプレイが入賞した後は遊技媒体の消費を抑えながら遊技を行うことが可能になるため、特殊リプレイを入賞するようにリールの停止操作を行うことへの期待感を遊技者に抱かせることができる。
【手続補正７】
【補正対象書類名】明細書
【補正対象項目名】００１３
【補正方法】変更
【補正の内容】
【００１３】
また、リプレイタイムモードで特殊リプレイが入賞した場合に、リプレイタイムモードが終了すると、特殊リプレイが入賞した後は遊技媒体の消費が増加するため、特殊リプレイを入賞しないようにリールの停止操作を行うことへの期待感を遊技者に抱かせることができる。